(57)【特許請求の範囲】
【請求項１】
パネルから離間した位置にてワイヤー束を該パネルに固着すべくケーブル・タイと共に使用される隔離装置にして、
頂側部と、底側部と、本体の外側から分離された内側を規定すべくその間を伸長する外側面とを有する本体と、
前記頂側部から前記底側部まで該本体の内部を貫通して伸長する一対の対向するストラップ通路と、
前記頂側部と前記底側部間に配置され、前記ストラップ通路を前記本体の外側に接続する一対のアクセス・スロットとを備えることを特徴とする隔離装置。
【請求項２】
請求項１に記載の隔離装置にして、前記ストラップ通路が、対向し且つ前記本体の頂部にて互いに近接するように配置され、前記底部から更に離間されるように拡がり角度が付けられることを特徴とする隔離装置。
【請求項３】
請求項２に記載の隔離装置にして、前記ストラップ通路が、底側部にて丸味を付けた形状の出口面を更に備えることを特徴とする隔離装置。
【請求項４】
請求項１に記載の隔離装置にして、前記アクセス・スロットが、両側面に形成されることを特徴とする隔離装置。
【請求項５】
請求項１に記載の隔離装置にして、前記頂側部が、前記パネルの穴内に嵌め込むことができる肩部分を備えることを特徴とする隔離装置。
【請求項６】
請求項５に記載の隔離装置にして、前記肩部分が円筒状であることを特徴とする隔離装置。
【請求項７】
請求項１に記載の隔離装置にして、前記底側部が凹状となるように湾曲していることを特徴とする隔離装置。
【請求項８】
ケーブル・タイ・ストラップが取り付け面に形成された孔を通じて挿入され、束に沿ってループ状に形成され且つ該孔を通じて挿入され且つ該孔に固着された、ケーブル・タイと共に使用すべく、パネルから離間した位置にてワイヤー束を保持する隔離装置にして、
前記取り付け面の一側部と当接する頂端部と、前記ワイヤー束を前記取り付け面から離間した位置に配置する底端部と、本体の外側から分離された内側を規定すべくその間を伸長する外側面とを有する本体部材と、
前記ケーブル・タイ・ストラップが前記本体を貫通して頂端部から底端部に進むのを許容すべく前記本体の内側に設けられたストラップ通路手段と、
前記本体の側面に設けられたアクセス手段であって、前記本体の外側から前記ストラップの通路手段にアクセスし得るよう、前記本体の頂端部又は底端部の間に配置された前記アクセス手段とを備えることを特徴とする隔離装置。
【請求項９】
請求項８に記載の隔離装置にして、前記ストラップ通路手段が、前記頂側部から底側部まで前記本体を貫通して伸長する一対の対向したストラップ通路であることを特徴とする隔離装置。
【請求項１０】
請求項９に記載の隔離装置にして、前記ストラップ通路が前記本体の頂部にて互いに相対的に近接し得るように配置され、該ストラップ通路が、底部にて更に離間されるように拡がり角度に配置されることを特徴とする隔離装置。
【請求項１１】
請求項９に記載の隔離装置にして、前記アクセス手段が、前記頂端部と前記底端部との間に配置され、前記ストラップ通路を前記本体の外側に接続する一対のアクセス・スロットであることを特徴とする隔離装置。
【請求項１２】
請求項１１に記載の隔離装置にして、前記一対のアクセス・スロットが両側面に形成されることを特徴とする隔離装置。
【請求項１３】
請求項８に記載の隔離装置にして、前記頂部が、前記パネルの穴内に嵌め込むことができる肩部分を備えることを特徴とする隔離装置。
【請求項１４】
請求項１３に記載の隔離装置にして、前記肩部分が円筒状であることを特徴とする隔離装置。
【請求項１５】
請求項８に記載の隔離装置にして、前記底側部が凹状であるように湾曲していることを特徴とする隔離装置。
【発明の詳細な説明】
【０００１】
【発明の属する技術分野】
本発明は、ケーブル・タイによって固着されたワイヤー束をパネルに対して離間した状態に保つ隔離装置（支柱）、より具体的には、頂部から頂部と底側部との間で隔離装置の外側からアクセス可能な底側部まで伸長する隔離装置を貫通する内部のストラップ通路を有し、隔離装置の取り付けが容易であるようにする隔離装置に関する。
【０００２】
【従来の技術】
電気業界においては、ワイヤー又はケーブル束がパネル、又はその他の同様の取り付け面に取り付けられる各種の用途がある。こうした用途の多くにおいて、釦取り付け型のケーブル・タイが利用される。釦取り付け型のケーブル・タイは、ストラップをパネルの第一の側部から穴を通じて第二の側部に取り付け、束の周りでループ状に配置され、第一の側部に再度挿入されて、この側部にて係止可能に係合することを可能にする拡張頂部分を有する。このため、ワイヤー束は、第二の側部に対して固着される一方、拡張頂部分は、ケーブル・タイが穴を貫通するのを防止する。こうした用途の場合、ワイヤー束をパネルから離間した位置に保持し、パネルに穴を打ち抜いたとき、残る鋭利なエッジ部分によってワイヤーが傷付くのを防止し得るようにすることが好ましいことが多い。
【０００３】
【発明が解決しようとする課題】
従来の隔離装置は、単一の穴を有する略円筒状部材を備えている。使用時、ケーブル・タイ・ストラップは、隔離装置の穴を通じて挿入され、ワイヤー束の周りでループ状に配置され、孔及び穴を通じて再度挿入して戻し、係止頂部と係合するようにする。この従来技術の隔離装置を使用するとき、現場で生ずる問題点は、ケーブル・タイをワイヤー束の周りに固着すると同時に、取り付け穴、及び隔離装置の孔内に挿入しなければならないことである。このため、この技術の改良が必要とされる。
【０００４】
一般に、パネルから離間した距離にてパネルにワイヤー束を固着するためにケーブル・タイと共に使用される隔離装置は、頂側部と、底側部と、本体の外側から分離された内側を規定すべくその間の外側面とを有する本体と、頂側部から底側部まで本体の内側を貫通して伸長する対向した一対のストラップ通路と、頂側部と底側部との間に配置され、ストラップ通路を本体の外側に接続する一対のアクセス・スロットとを備えている。
【０００５】
又、ケーブル・タイ・ストラップが取り付け面の孔を通じて挿入され、束の周りでループ状に形成され、また、孔を通じて後方に挿入され且つ該孔に固着される、ケーブル・タイヤと共に使用されるパネルから離間した距離にてワイヤー束を保持する隔離装置は、全体として、取り付け面の一側部に当接する頂端部と、取り付け面から離間した位置にてワイヤー束を位置決めする底端部と、本体の外側から分離された内側を規定すべくその間の外側面とを有する本体と、ケーブル・タイ・ストラップが頂部から底側部まで本体を貫通するように許容すべく本体の内側に設けられたストラップ通路手段と、本体の少なくとも一側部に配置され且つ本体の頂端部又は底端部の間に配置されて、ストラップ通路手段へのアクセスを可能にするアクセス手段とを備えている。
【０００６】
このため、本発明の一つの目的は、ワイヤー束をパネルから離間した距離の位置に保持するケーブル・タイと共に使用される、改良に係る隔離装置を提供することである。
【０００７】
本発明の更に別の目的は、ワイヤー束をパネルに固着するため、ケーブル・タイに容易に取り付けられる、改良に係る隔離装置を提供することである。
【０００８】
本発明の更に別の目的は、ワイヤー束をパネルに取り付けた後に、ケーブル・タイと共に使用される、改良に係る隔離装置を提供することである。
【０００９】
【課題を解決するための手段】
本発明は、パネルから離間した距離の位置にてワイヤー束を該パネルに固着すべくケーブル・タイと共に使用される隔離装置であって、頂側部と、底側部と、本体の外側から分離された内側を規定すべくその間を伸長する外側面とを有する本体と、該頂側部から該底側部まで該本体の内部を貫通して伸長する一対の対向するストラップ通路と、該頂側部と該底側部との間に配置され、該ストラップ通路を該本体の外側に接続する一対のアクセス・スロットとを備えることを特徴とする隔離装置を提供するものである。
【００１０】
【発明の実施の形態】
本発明の思想を具体化する隔離装置は、添付図面に全体として参照符号１０で表示されており、また、該隔離装置はプラスチックで出来ている。
【００１１】
図２及び図３から理解されるように、該隔離装置１０は、頂側部１４と、底側部１６と、該頂側部１４から底側部１６まで本体１２の内側を貫通して伸長する一対のストラップ通路１８とを有する略円筒状本体１２を備えている。頂側部１４は、同様に略円筒状の形状をした中心決め肩部分２４を含んでおり、該中心決め肩部分は、隔離装置に対する着座部を提供し、また、頂側部１４が取り付けパネル３０の下側に当接するとき、取り付けパネル３０の穴３２内で隔離装置１０を中心決めするのに役立つ。図３から理解されるように、隔離装置１０の底側部１６は、ワイヤー束４０を隔離装置１０の下側に中心決めすべく凹状の形状となるよう湾曲した表面を備えている。
【００１２】
図３〜図５から明らかなように、ストラップ通路１８は、隔離装置１０の頂側部１４にて対向し且つ互いに離間されており、また、該ストラップ通路は、拡がり角度状態にて隔離装置１０の内側を貫通し、これらのストラップ通路は、隔離装置１０の底側部１６にてより広い距離、離間されている。また、隔離装置１０は、本体１２の外側から内側のストラップ通路１８へのアクセスを可能にし得るようにストラップ通路１８の長さに亙って伸長するアクセス・スロット２２を備えている。アクセス・スロット２２及びストラップ通路１８の出口面は、底側部１６にて丸味が付けられている。このように、底部１６の出口面を丸味を付けたことは、拡がり角度を付けたストラップ通路１８と相俟って、結束ストラップ３６に対してより小さい曲げ半径を形成する。
【００１３】
作動時、図６乃至図９及び図１１から最も良く理解されるように、ユーザは、穴３２よりも十分に大きい寸法の拡張頭部分と、係止頭部を有するストラップとを備える釦取り付け型タイのようなケーブル・タイを利用する。ユーザは、ストラップ３６の先端を穴３２に挿入し、ワイヤー束４０の周りを進め、ストラップ３６の先端を穴３２に再度挿入し、ケーブル・タイ３４の係止頭部と部分的に係合させる。図７に図示するように、ケーブル・タイ３６は、ワイヤー束４０を取り付けパネル３０に一時的に固着したとき、ワイヤー束４０の各側部にあるストラップ３６の一部をアクセス・スロット２２内に挿入してストラップ通路１８に達するようにすることで隔離装置１０を取り付けることができる。ワイヤー束を囲繞するストラップ部分の双方をストラップ通路１８に容易に挿入し得るようにするため、本体１２の両側面には、アクセス・スロット２２が形成されている。ワイヤー束４０の両側部におけるストラップ３６を隔離装置１０のストラップ通路１８内に挿入した後に、図１１に図示するように、ケーブル・タイ３４を完全に締め付けることができる。
【００１４】
隔離装置１０は、略円筒状本体を備えるものとして図示し且つ説明したが、その他の形態も採用可能であることを認識すべきである。同様に、図示した隔離装置１０は、複数の切欠き部分２６を備えている点も認識すべきである。切欠き部分２６は、必要な強度を保ちつつ、隔離装置の材料を節約し且つコストを軽減するために使用される。こうした切欠き部分の数及び寸法及び形状は、必須ものではなく、異なる隔離装置の形態に対応するよう変更が可能である。
【図面の簡単な説明】
【図１】パネルに対して離間した距離にてワイヤー束を固着する状態を示す、本発明の隔離装置の斜視図である。
【図２】図１の隔離装置の頂部の斜視図である。
【図３】図１の隔離装置の底部の斜視図である。
【図４】図１の隔離装置の側面図である。
【図５】図１の隔離装置の平面図である。
【図６】釦頭型ケーブル・タイにより取り付けパネルに最初に固着されるときのワイヤー束を示す図である。
【図７】図６のケーブル・タイに取り付けられた時の隔離装置の断面図である。
【図８】図６のケーブル・タイに取り付けられた時の隔離装置の斜視図である。
【図９】ケーブル・タイに完全に取り付けられた隔離装置の断面図である。
【図１０】図９の線１０−１０に沿って示したケーブル・タイと係合した隔離装置の断面図である。
【図１１】図１の隔離装置により取り付けパネルから離間した距離にて保持されたワイヤー束の断面図である。
【符号の説明】
１０  隔離装置                  １２  隔離装置の本体
１４  隔離装置の頂側部          １６  隔離装置の底側部
１８  ストラップ通路            ２２  アクセス・スロット
２４  中心決め肩部分            ２６  切欠き部分
３０  取り付けパネル            ３２  取り付けパネルの穴
３４  ケーブル・タイ            ３６  ストラップ
４０  ワイヤー束
【図１】
0003792301.tif 000002
【図２】
0003792301.tif 000003
【図３】
0003792301.tif 000004
【図４】
0003792301.tif 000005
【図５】
0003792301.tif 000006
【図６】
0003792301.tif 000007
【図７】
0003792301.tif 000008
【図８】
0003792301.tif 000009
【図９】
0003792301.tif 000010
【図１０】
0003792301.tif 000011
【図１１】
0003792301.tif 000012